(57)【特許請求の範囲】
【請求項１】
石炭を流動化用粒子として含むガス化炉を備えた流動床ガス化装置を用い、前記ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置の運転方法であって、
前記ガス化炉の、８００℃〜１０００℃とされた流動床に、燃料としてアルカリ化合物を含有する、木材、バイオマス及び都市ゴミからなる群から選択された１種又は２種以上からなる固体粒子を添加することにより、石炭をガス化させることを特徴とする流動床ガス化装置の運転方法。
【請求項２】
石炭を流動化用粒子として含むガス化炉を備えた流動床ガス化装置を用い、前記ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置の運転方法であって、
前記ガス化炉の、８００℃〜１０００℃とされた流動床に、燃料としてアルカリ化合物を含有する、ゴミ固形化燃料からなる固体粒子を添加することにより、石炭をガス化させることを特徴とする流動床ガス化装置の運転方法。
【請求項３】
前記固体粒子の平均粒径が、０．５ｍｍ〜２ｍｍであることを特徴とする請求項１または２に記載の流動床ガス化装置の運転方法。
【請求項４】
前記流動床ガス化装置が、さらに、前記ガス化炉に連結された石灰石等の脱硫剤を流動化用粒子として含む脱硫炉を備えており、
前記脱硫炉に前記石炭ガス化ガスを導入し、該石炭ガス化ガスを流動化用ガスとして用いて流動床を形成するとともに、該石炭ガス化ガス中の硫黄化合物を石灰石中にＣａＳとして固定・脱硫することを特徴とする請求項１乃至３のいずれか一項に記載の流動床ガス化装置の運転方法。
【請求項５】
前記流動床ガス化装置が、さらに、前記脱硫炉内で脱硫された石炭ガス化ガスを導入し、該石炭ガス化ガスに含まれる粒子を分離・除去する脱塵装置と、水又は水蒸気を加熱するための熱交換器を内蔵する酸化炉とを備え、
前記酸化炉に、前記ガス化炉からチャー、前記脱硫炉から石灰石、前記脱塵装置から粒子をそれぞれ導入した後、酸素を含むガスを導入して、該ガス中の酸素により、前記チャー及び前記粒子中の未燃焼分を燃焼させるとともに、前記石灰石中のＣａＳをＣａＳＯ４に酸化し、その酸化によって生じた反応熱で前記熱交換器内の水又は水蒸気を加熱し、熱交換後のガスを前記ガス化炉へ送給することを特徴とする請求項１乃至４のいずれか一項に記載の流動床ガス化装置の運転方法。
【請求項６】
石炭を流動化用粒子として含むガス化炉を備え、当該ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置であって、
前記ガス化炉は、前記流動床の温度を８００℃〜１０００℃に保持するものであり、
前記ガス化炉の、８００℃〜１０００℃とされた流動床に、燃料としてアルカリ化合物を含有する、木材、バイオマス及び都市ゴミからなる群から選択された１種又は２種以上からなる固体粒子を添加する固体粒子供給手段が設けられていることを特徴とする流動床ガス化装置。
【請求項７】
石炭を流動化用粒子として含むガス化炉を備え、当該ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置であって、
前記ガス化炉は、前記流動床の温度を８００℃〜１０００℃に保持するものであり、
前記ガス化炉の、８００℃〜１０００℃とされた流動床に、燃料としてアルカリ化合物を含有する、ゴミ固形化燃料からなる固体粒子を添加する固体粒子供給手段が設けられていることを特徴とする流動床ガス化装置。
【請求項８】
前記固体粒子の平均粒径が、０．５ｍｍ〜２ｍｍであることを特徴とする請求項６または７に記載の流動床ガス化装置。
【請求項９】
前記ガス化炉に連結された石灰石等の脱硫剤を流動化用粒子として含む脱硫炉を備えており、
前記脱硫炉に前記石炭ガス化ガスを導入し、該石炭ガス化ガスを流動化用ガスとして用いて流動床を形成するとともに、該石炭ガス化ガス中の硫黄化合物を石灰石中にＣａＳとして固定・脱硫することを特徴とする請求項６乃至８のいずれか一項に記載の流動床ガス化装置。
【請求項１０】
前記脱硫炉内で脱硫された石炭ガス化ガスを導入し、該石炭ガス化ガスに含まれる粒子を分離・除去する脱塵装置と、水又は水蒸気を加熱するための熱交換器を内蔵する酸化炉とを備え、
前記酸化炉に、前記ガス化炉からチャー、前記脱硫炉から石灰石、前記脱塵装置から粒子をそれぞれ導入した後、酸素を含むガスを導入して、該ガス中の酸素により、前記チャー及び前記粒子中の未燃焼分を燃焼させるとともに、前記石灰石中のＣａＳをＣａＳＯ４に酸化し、その酸化によって生じた反応熱で前記熱交換器内の水又は水蒸気を加熱し、熱交換後のガスを前記ガス化炉へ送給することを特徴とする請求項６乃至９のいずれか一項に記載の流動床ガス化装置。
【請求項１１】
請求項６乃至１０のいずれか一項に記載の流動床ガス化装置を具備してなることを特徴とする石炭ガス化複合発電システム。
【発明の詳細な説明】
【技術分野】
【０００１】
本発明は、流動床ガス化装置及びその運転方法に関し、更に詳しくは、火力発電設備や燃料ガス製造設備等において石炭のガス化に使用される流動床ガス化装置を効率よく運転する方法に関する。
【背景技術】
【０００２】
近年、石炭は、石油資源の枯渇が叫ばれるようになっていることから注目を浴びている。石炭のガス化や液化の研究、またそれによって得られるものを原料とする化学反応の開発などが精力的に進められており、例えば、乾留（dry distillation）などによって石炭から得られるガスは、都市ガスや合成化学原料に用いられている。
【０００３】
石炭のガス化装置の１つとして、流動床ガス化炉（以下、「ガス化炉」という）を備えたものがある（例えば、特許文献１参照）。
【特許文献１】特開２０００−２２７２０５号公報（図２）
【発明の開示】
【発明が解決しようとする課題】
【０００４】
このガス化炉では、炉体の底部に、砂等の流動化用粒子を一定高さに充填し、この流動化用粒子を、底部に設けた散気装置から空気等の流動化用ガスを送ることで浮遊流動させて、流動床を形成する。
流動床で石炭の一部を燃焼させると、その燃焼熱により流動床が加熱され、蓄熱して、石炭を持続的にガス化させることができる。
上述のような石炭のガス化装置の問題点の１つは、石炭のガス化速度が遅く、ガス化効率が低いことである。
ガス化効率を高める方法としては、石炭の粒子径を小さくして反応しやすくする、流動床の温度を上げてガス化速度を高める、ガス化炉の容積を大きくして石炭の炉内滞留時間を長くする等の方法が考えられる。
しかしながら、流動床を形成する流動化用粒子としては、その流動性を考慮すると、平均粒径が約０．５ｍｍ以上、好ましくは０．５〜２ｍｍ程度の大きさである必要があるので、石炭の粒子径を小さくすることには限度がある。
また、ガス化炉の容積を大きくするのにも技術的に制約がある。
したがって、流動床の温度を上げることが、ガス化効率を高める最も現実的な方法であると考えられるが、それにはいくつかの問題が生じる。
【０００５】
問題の１つは、流動床ガス化装置内に、石炭等の物質の流動トラブルを誘発するクリンカ（粗大粒子）が形成されやすくなることである。
通常、ガス化炉内において、流動床は、約８００〜１２００℃の温度で燃焼している。ところが何らかの要因によって流動床の温度が全体的又は局部的に高くなり、石炭中の灰分の軟化溶融温度以上となると、灰分が、軟化溶融したり、石炭粒子間でバインダーの役目を果たすなどして、クリンカが形成される。
ガス化炉内や、石炭、流動床を形成するためのガス、石炭を燃焼させる酸素を含む燃焼ガス等を供給する配管内等にクリンカが形成されると、それらの供給や装置内での物質流動がうまくいかず、適正な温度調節や流動床形成、燃料の燃焼等が困難になってしまう。
更に、生成したクリンカを除去するために、装置を長時間停止する必要が生じてしまう。また、流動床の温度を上げるためには、多量の燃料を使用する必要があるので、コストが高くなってしまう。
【０００６】
このように、流動床の温度を高くすると、流動床の温度が、石炭中の灰分の軟化溶融温度（以下、「クリンカ形成温度」という）以上に上昇しやすくなり、クリンカが形成されやすくなってしまう。
それゆえに、クリンカの形成を防止するためには、流動床の温度を、クリンカ形成温度よりもできるだけ低くすることが望ましい。
しかしながら、単に流動床の温度を低くするだけでは、石炭のガス化速度が遅くなり、ガス化効率が低下してしまう。
【０００７】
一方、使用する石炭の炭種を、例えば約１５００℃以上の高融点の灰分のみを含むものに制限して、流動床の温度をその融点より低い温度、例えば９５０〜１２００℃とすれば、石炭のガス化速度を維持しつつ、クリンカの形成を防ぐことは可能である。
しかしながら、使用できる石炭の炭種が制限されることから、コストが高くなるという問題がある。
また、例えば１１００〜１２００℃といった低融点の灰分を含む炭種や、高融点の灰分と低融点の灰分とが混在する炭種をガス化することは困難である。
【０００８】
すなわち、石炭のガス化反応は、通常、一定の温度以上に加熱されないと十分な反応速度とならない。石炭のガス化反応が十分な反応速度をもって生起する温度（以下、「反応温度」という）は、炭化度や含有する灰分により、炭種毎に若干異なるが、一般に９５０℃以上の温度が必要である。
流動床の温度が、この反応温度よりも低いと、ガス化反応速度が十分でなかったり、ガス化しない等の問題が生じる。
【０００９】
さらに、流動床の温度を上げることによって生じる他の問題として、流動床ガス化装置が、ガス化炉の後流側に、発生した石炭ガス化ガス中に含まれる硫黄化合物を脱硫するための脱硫炉を備えており、脱硫剤として石灰石を用いる場合に、脱硫炉の脱硫性能の低下がある。
脱硫剤として石灰石を用いる場合、その脱硫効率は９５０℃近辺で最も良好であり、温度が高くなりすぎると脱硫性能は低下してしまう。したがって、ガス化炉から導入される石炭ガス化ガスの温度が高すぎると、脱硫炉内の温度も高くなり、脱硫性能が低下する。
このことからも、流動床の温度を上げることは好ましくない。
【００１０】
本発明は、上記事情を鑑みてなされたものであり、ガス化速度を維持しつつ、流動床の温度を低くしてガス化を行うことができ、且つ、多様な炭種の石炭をガス化することができる流動床ガス化装置の運転方法及び流動床ガス化装置並びに石炭ガス化複合発電システムを提供するものである。
【課題を解決するための手段】
【００１１】
本発明は、上記課題を解決するため、以下の手段を採用した。
請求項１に記載の流動床ガス化装置の運転方法は、石炭を流動化用粒子として含むガス化炉を備えた流動床ガス化装置を用い、前記ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置の運転方法であって、前記ガス化炉の、８００℃〜１０００℃とされた流動床に、燃料としてアルカリ化合物を含有する、木材、バイオマス及び都市ゴミからなる群から選択された１種又は２種以上からなる固体粒子を添加することにより、石炭をガス化させることを特徴とする。
このような流動床ガス化装置の運転方法によれば、流動床ガス化装置のガス化炉の流動床に燃料として、また、流動床を形成する流動化粒子として、石炭と混合された際に、石炭ガス化反応の触媒として働くアルカリ化合物を含有する固体粒子が添加され、これにより、ガス化速度が維持されつつ、石炭のガス化反応が生じる反応温度が低下する。
また、このような流動床ガス化装置の運転方法によれば、カリウム（Ｋ）やナトリウム（Ｎａ）等を含むアルカリ化合物が多く含まれた、木材、バイオマス及び都市ゴミが、固体粒子として使用される。
【００１２】
請求項２に記載の流動床ガス化装置の運転方法は、石炭を流動化用粒子として含むガス化炉を備えた流動床ガス化装置を用い、前記ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置の運転方法であって、前記ガス化炉の、８００℃〜１０００℃とされた流動床に、燃料としてアルカリ化合物を含有する、ゴミ固形化燃料からなる固体粒子を添加することにより、石炭をガス化させることを特徴とする。
このような流動床ガス化装置の運転方法によれば、流動床ガス化装置のガス化炉の流動床に燃料として、また、流動床を形成する流動化粒子として、石炭と混合された際に、石炭ガス化反応の触媒として働くアルカリ化合物を含有する固体粒子が添加され、これにより、ガス化速度が維持されつつ、石炭のガス化反応が生じる反応温度が低下する。
また、このような流動床ガス化装置の運転方法によれば、都市ゴミを加工してできたゴミ固形化燃料が、固体粒子として使用される。
【００１３】
請求項３に記載の流動床ガス化装置の運転方法は、前記固体粒子の平均粒径が、０．５ｍｍ〜２ｍｍであることを特徴とする。
このような流動床ガス化装置の運転方法によれば、固体粒子の平均粒径を０．５ｍｍ〜２ｍｍ、すなわち、石炭の平均粒径と略同等にすることにより、固体粒子と石炭粒子とを迅速且つ均等に混合しやすくなる。
【００１４】
請求項４に記載の流動床ガス化装置の運転方法は、前記流動床ガス化装置が、さらに、前記ガス化炉に連結された、石灰石等の脱硫剤を流動化用粒子として含む脱硫炉を備えており、前記脱硫炉に前記石炭ガス化ガスを導入し、該石炭ガス化ガスを流動化用ガスとして用いて流動床を形成するとともに、該石炭ガス化ガス中の硫黄化合物を石灰石中にＣａＳとして固定・脱硫することを特徴とする。
このような流動床ガス化装置の運転方法によれば、石炭ガス化ガスは、脱硫炉においてガス中の硫黄化合物が除去された後、発電機を駆動するガスタービンに導かれ、このガスタービンの燃料として使用される。
【００１５】
請求項５に記載の流動床ガス化装置の運転方法は、前記流動床ガス化装置が、さらに、前記脱硫炉内で脱硫された石炭ガス化ガスを導入し、該石炭ガス化ガスに含まれる粒子を分離・除去する脱塵装置と、水又は水蒸気を加熱するための熱交換器を内蔵する酸化炉とを備え、前記酸化炉に、前記ガス化炉からチャー、前記脱硫炉から石灰石、前記脱塵装置から粒子をそれぞれ導入した後、酸素を含むガスを導入して、該ガス中の酸素により、前記チャー及び前記粒子中の未燃焼分を燃焼させるとともに、前記石灰石中のＣａＳをＣａＳＯ４に酸化し、その酸化によって生じた反応熱で前記熱交換器内の水又は水蒸気を加熱し、熱交換後のガスを前記ガス化炉へ送給することを特徴とする。
このような流動床ガス化装置の運転方法によれば、脱硫炉においてガス中の硫黄化合物が除去された石炭ガス化ガスは、ガスタービンの上流側で脱塵装置によりガスに含まれる粒子が分離・除去されるとともに、酸化炉に、ガス化炉からチャー、脱硫炉から石灰石、脱塵装置から粒子がそれぞれ導入された後、酸素を含むガスが導入されて、このガス中の酸素により、チャー及び粒子中の未燃分が燃焼させられるとともに、石灰石中のＣａＳをＣａＳＯ４に酸化し、その酸化によって生じた反応熱で熱交換器内の水又は水蒸気を加熱し、熱交換後のガスがガス化炉へ送給される。熱交換後のガス、すなわち、所望の温度にされたガスがガス化炉へ送給されることによりガス化炉の効率を向上させることができるとともに、水又は水蒸気により回収された熱を、蒸気タービンの駆動に用いれば、蒸気タービンの効率を向上させることができる。
【００１６】
請求項６に記載の流動床ガス化装置は、石炭を流動化用粒子として含むガス化炉を備え、当該ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置であって、前記ガス化炉は、前記流動床の温度を８００℃〜１０００℃に保持するものであり、前記ガス化炉の、８００℃〜１０００℃とされた流動床に、燃料としてアルカリ化合物を含有する、木材、バイオマス及び都市ゴミからなる群から選択された１種又は２種以上からなる固体粒子を添加する固体粒子供給手段が設けられていることを特徴とする。
このような流動床ガス化装置によれば、流動床ガス化装置のガス化炉の流動床に、燃料として、また、流動床を形成する流動化粒子として、石炭と混合された際に、石炭ガス化反応の触媒として働くアルカリ化合物を含有する固体粒子が添加され、これにより、ガス化速度が維持されつつ、石炭のガス化反応が生じる反応温度が低下する。
また、このような流動床ガス化装置によれば、カリウム（Ｋ）やナトリウム（Ｎａ）等を含むアルカリ化合物が多く含まれた、木材、バイオマス及び都市ゴミが、固体粒子として使用される。
【００１７】
請求項７に記載の流動床ガス化装置は、石炭を流動化用粒子として含むガス化炉を備え、当該ガス化炉で、酸素を含むガスを流動化用ガスとして用いて流動床を形成するとともに、該ガス中の酸素により石炭を部分燃焼させ、燃焼により発生した二酸化炭素と水蒸気により石炭を石炭ガス化ガスとチャーへ転換する流動床ガス化装置であって、前記ガス化炉は、前記流動床の温度を８００℃〜１０００℃に保持するものであり、前記ガス化炉の、８００℃〜１０００℃とされた流動床に、燃料としてアルカリ化合物を含有する、ゴミ固形化燃料からなる固体粒子を添加する固体粒子供給手段が設けられていることを特徴とする。
このような流動床ガス化装置によれば、流動床ガス化装置のガス化炉の流動床に、燃料として、また、流動床を形成する流動化粒子として、石炭と混合された際に、石炭ガス化反応の触媒として働くアルカリ化合物を含有する固体粒子が添加され、これにより、ガス化速度が維持されつつ、石炭のガス化反応が生じる反応温度が低下する。
また、このような流動床ガス化装置によれば、都市ゴミを加工してできたゴミ固形化燃料が、固体粒子として使用される。
【００１８】
請求項８に記載の流動床ガス化装置は、前記固体粒子の平均粒径が、０．５ｍｍ〜２ｍｍであることを特徴とする。
このような流動床ガス化装置によれば、固体粒子の平均粒径を０．５ｍｍ〜２ｍｍ、すなわち、石炭の平均粒径と略同等にすることにより、固体粒子と石炭粒子とを迅速且つ均等に混合しやすくなる。
【００１９】
請求項９に記載の流動床ガス化装置は、前記ガス化炉に連結された石灰石等の脱硫剤を流動化用粒子として含む脱硫炉を備えており、前記脱硫炉に前記石炭ガス化ガスを導入し、該石炭ガス化ガスを流動化用ガスとして用いて流動床を形成するとともに、該石炭ガス化ガス中の硫黄化合物を石灰石中にＣａＳとして固定・脱硫することを特徴とする。
このような流動床ガス化装置によれば、石炭ガス化ガスは、脱硫炉においてガス中の硫黄化合物が除去された後、発電機を駆動するガスタービンに導かれ、このガスタービンの燃料として使用される。
【００２０】
請求項１０に記載の流動床ガス化装置は、前記脱硫炉内で脱硫された石炭ガス化ガスを導入し、該石炭ガス化ガスに含まれる粒子を分離・除去する脱塵装置と、水又は水蒸気を加熱するための熱交換器を内蔵する酸化炉とを備え、前記酸化炉に、前記ガス化炉からチャー、前記脱硫炉から石灰石、前記脱塵装置から粒子をそれぞれ導入した後、酸素を含むガスを導入して、該ガス中の酸素により、前記チャー及び前記粒子中の未燃焼分を燃焼させるとともに、前記石灰石中のＣａＳをＣａＳＯ４に酸化し、その酸化によって生じた反応熱で前記熱交換器内の水又は水蒸気を加熱し、熱交換後のガスを前記ガス化炉へ送給することを特徴とする。
このような流動床ガス化装置によれば、脱硫炉においてガス中の硫黄化合物が除去された石炭ガス化ガスは、ガスタービンの上流側で脱塵装置によりガスに含まれる粒子が分離・除去されるとともに、酸化炉に、ガス化炉からチャー、脱硫炉から石灰石、脱塵装置から粒子がそれぞれ導入された後、酸素を含むガスが導入されて、このガス中の酸素により、チャー及び粒子中の未燃分が燃焼させられるとともに、石灰石中のＣａＳをＣａＳＯ４に酸化し、その酸化によって生じた反応熱で熱交換器内の水又は水蒸気を加熱し、熱交換後のガスがガス化炉へ送給される。熱交換後のガス、すなわち、所望の温度にされたガスがガス化炉へ送給されることによりガス化炉の効率を向上させることができるとともに、水又は水蒸気により回収された熱を、蒸気タービンの駆動に用いれば、蒸気タービンの効率を向上させることができる。
【００２１】
請求項１１に記載の石炭ガス化複合発電システムは、請求項６乃至１０のいずれか一項に記載の流動床ガス化装置を具備してなることを特徴とする。
このような石炭ガス化複合発電システムによれば、ガス化速度を維持しつつ、流動床の温度を低くしてガス化を行うことができ、且つ、多様な炭種の石炭をガス化することができる流動床ガス化装置を具備しているので、石炭ガス化複合発電システム全体の高効率化が図られることになる。
【発明の効果】
【００２２】
本発明によれば、以下のような効果が得られる。
［１］本発明では、木材、バイオマス、及び、ゴミ固形化燃料（ＲＤＦ：Refuse Derived Fuel）等の都市ゴミからなる群から選択された１種又は２種以上からなる、石炭と同等の粒径の固体粒子を添加することにより、ガス化速度を維持しつつ、石炭のガス化反応が生じる反応温度を低下させることができるので、クリンカ形成を防止することができる。
［２］石炭ガス化の反応温度を低下させることができるので、流動床の温度をクリンカ形成温度よりも低い温度で、低融点の灰分を含む石炭等を含めた多様な炭種の石炭をガス化することができる。
［３］脱硫剤として石灰石を用いる場合に、脱硫炉の温度が脱硫に適した温度よりも高くなりにくく、確実な脱硫を行わせることができる。
【発明を実施するための最良の形態】
【００２３】
以下、本発明を更に詳細に説明する。
本発明においては、木材、バイオマス、及び、ゴミ固形化燃料（以下、「ＲＤＦ」という）等の都市ゴミが、燃料として、また、流動化粒子として用いられる。
本発明において、バイオマスとは、エネルギー源又は工業原料として利用することのできる有機物を意味しており、例えば、廃木材、枯草木等を例示することができる。
また、都市ゴミとは、レストランやコンビニエンスストア、家庭等から排出される生ゴミや、紙類等の有機廃棄物を意味し、さらに、都市ゴミを加工してできたＲＤＦがある。
【００２４】
木材、バイオマス、及び、ＲＤＦ等の都市ゴミからなる群から選択された１種又は２種以上からなる固体粒子は、例えば、それぞれを乾燥させ、流動化粒子に適した大きさに粉砕した後、任意の配合比で混合する等の方法によって製造することができる。
流動床の流動化用粒子である石炭の平均粒径は、０．５〜２ｍｍとすることが好ましく、上記固体粒子の平均粒径を石炭と同等にすることにより、固体粒子と石炭粒子とを迅速且つ均等に混合しやすくなる。
木材、バイオマス、及び、ＲＤＦ等の都市ゴミの配合比は特に限定されない。
【００２５】
本発明において、前記固体粒子をガス化炉の流動床に添加、混合すると、各炭種固有の反応温度を低下させることができる。したがって、ガス化炉において、流動床の温度がクリンカ形成温度を越えないように十分に低い温度、好ましくは約９５０〜１０００℃、さらに好ましくは８００〜９５０℃としても、ガス化反応速度を維持することができる。例えば、クリンカ形成温度１０００℃の特性を有する石炭を使用する場合、従来は、流動床の温度を約９５０℃として運転していたが、ＲＤＦ粒子（平均粒径１ｍｍ）を、石炭に対して、１〜５０質量％の割合で添加すると、流動床の温度を、例えば９００℃としても、従来と同様のガス化反応速度を維持することができる。
【００２６】
この作用機序としては、木材、バイオマス及び都市ゴミが、炭素質のガス化に触媒的な作用を発揮していることが考えられる。
木材、バイオマス及び都市ゴミは、カリウムやナトリウム等を含むアルカリ化合物の含有量が多く、このアルカリ化合物が、石炭と混合された際に、石炭ガス化反応の触媒として働くと考えられる。
【００２７】
本発明においては、市販の高価な触媒（Ｋ２ＣＯ３、Ｎａ２ＣＯ３等）を加えなくても燃焼を維持することができる。
図４は、触媒としてＫ２ＣＯ３を加えた場合（図において点線で示す）と、Ｋ２ＣＯ３を加えなかった場合（図において実線で示す）とにおける燃焼の度合（炭素転換率：固体の炭素がどれだけ燃焼してガスになったかを示す）と時間との関係を示すグラフである。図４に示すように、アルカリ化合物を含む触媒を添加することにより、ガス化反応速度が高められていることがわかる。
【００２８】
さらに、脱硫炉を備えた流動床ガス化装置を用いる場合には、脱硫炉の温度が高くなりすぎることが少なく、石灰石による脱硫反応に適した温度範囲に維持することが容易である。
【００２９】
図１に示す流動床ガス化装置１は、本発明で使用可能な流動床ガス化装置の一例であり、ガス化炉２と、脱硫炉３と、脱塵装置５と、酸化炉７とを備えたものである。以下、本発明の流動床ガス化装置運転方法の好ましい実施形態について、図１を用いて説明するが、これは本発明を限定するものではない。
【００３０】
まず、図１に示す流動床ガス化装置１のガス化炉２の底部付近に、燃料である石炭を、流動床を形成するための流動化用粒子として経路２１を介して供給する。
また、石炭と一緒に又は別々に、木材、バイオマス及び都市ゴミからなる群から選択された１種又は２種以上からなる固体粒子、例えばＲＤＦを添加する。添加する固体粒子の粒径は、流動床を形成することが可能な粒径とし、好ましくは石炭と同等の０．５〜２ｍｍのものを用いる。
そして、ガス化炉２の底部から経路２２を介して、流動化ガスとして、空気等の酸素を含むガスを供給することにより、ガス化炉２内に供給された石炭及び固体粒子を流動化するとともに、該ガス中の酸素により石炭を部分燃焼させ、燃焼により発生した二酸化炭素と水蒸気により石炭を石炭ガス化ガスとチャーへ転換する。その主反応は、以下の通りである。
Ｃ＋ＣＯ２  →  ２ＣＯ
Ｃ＋Ｈ２Ｏ  →  ＣＯ＋Ｈ２
ガス化する石炭は全体の５０〜８５％程度であり、残りの石炭や生成チャーは、流動化用粒子として流動床１１ａを形成する等に利用される。
このとき、上記固体粒子を添加したことにより、石炭のガス化反応が生起する温度（反応温度）が低くなっているので、供給する空気量や石炭量を調節して、流動床１１ａの温度を、反応温度とクリンカ形成温度との間のできるだけ低い温度、好ましくは９５０〜１０００℃、さらに好ましくは８００〜９５０℃とする。
【００３１】
ガス化炉内で発生した石炭ガス化ガスは、ガス化炉２と脱硫炉３との間に設けられた多孔板４を通って脱硫炉３に送られる。
脱硫炉３には、脱硫剤である石灰石を流動化用粒子として供給し、ガス化炉２から導入された石炭ガス化ガスを流動化ガスとして流動床１１ｂを形成する。このとき、脱硫炉３は、石炭ガス化ガスにより、最適な脱硫温度となる温度（９５０℃程度）に昇温される。
そして、石炭ガス化ガス中のＨ２Ｓが、以下の式（１）及び（２）の反応により石灰石と反応し、石灰石の一部がＣａＳに転換される。
ＣａＣＯ３  →  ＣａＯ＋ＣＯ２      （１）
ＣａＯ＋Ｈ２Ｓ  →  ＣａＳ＋Ｈ２Ｏ  （２）
【００３２】
なお、脱硫剤として石灰石を用いた場合、式（１）の反応は９３０℃未満では生起しにくく、式（１）の反応が生起しないと、式（２）の反応も生じない。それゆえに、脱硫反応は９３０℃以上で行うことが好ましい。
しかしながら、脱硫剤として、石灰石に代えて、下記Ａ）〜Ｆ）から選択された脱硫剤を用いることにより、９００℃以下の温度でも脱硫が可能となる。
Ａ）ドロマイト（ＣａＭｇ（ＣＯ３）２）
Ｂ）低品位石灰石（ＣａＣＯ３含有量９５％以下）
Ｃ）消石灰（Ｃａ（ＯＨ）２）
Ｄ）生石灰（ＣａＯ）
Ｅ）粘土を１〜１０質量％含有する石灰石と、Ａ）〜Ｄ）から選択された１種又は２種以上との混合物
Ｆ）石灰石と、Ａ）〜Ｅ）から選択された１種又は２種以上との混合物
【００３３】
上記反応により脱硫された石炭ガス化ガスは、経路２３を介して脱塵装置５へ導入され、ガス中に含まれる粒子が除去される。この脱硫・脱粒子後の石炭ガス化ガスは、さらにセラミックフィルタ６等のフィルタで微粒子を除去する。この石炭ガス化ガスは、燃料用ガスとして利用可能であり、例えば、火力発電設備または石炭ガス化複合発電システムでは、発電機を駆動するガスタービンの燃料として利用される。
一方、取り除かれた粒子（ＣａＳを含有）は、経路２４を介して酸化炉７に送られる。
【００３４】
酸化炉７には、ＣａＳを含有する上記粒子のほかに、ガス化炉２の底部から、経路２５を介して、石炭のガス化残渣であるチャーの一部が送られる。また、脱硫炉３からはＣａＳを含有する石灰石が経路２６を介して送られる。
酸化炉７の底部からは、経路２７を介して空気が供給され、チャー、石灰石、粒子等によって流動床１１ｃが形成される。酸化炉７内の流動床１１ｃでは、８５０〜１０００℃で、チャー及び前記粒子中の未燃分が燃焼するとともに、粒子及び石灰石中のＣａＳが以下の反応によりＣａＳＯ４に酸化する。
ＣａＳ＋２Ｏ２  →  ＣａＳＯ４
【００３５】
酸化によって生じた反応熱は、熱交換器８内の水又は水蒸気を加熱する。酸化炉７から排出されたガスは、経路２８を介してガス化炉２へ送給され、流動化ガスとして、また、ガス化炉２の温度を確保するためにも利用することができる。また、石炭に含まれていた灰分と脱硫剤のうち粗粒のものは、酸化炉７下部から、経路２９を介して排出することができる。
【００３６】
なお、この実施形態では、ガス化炉２のほかに、脱硫炉３、脱塵装置５及び酸化炉７を備えた流動床ガス化装置１を用いたが、本発明は、流動床ガス化炉を備える既知の任意の流動床ガス化装置を用いて実施することができる。
【実施例】
【００３７】
石炭（ブレアソール炭、平均粒径１ｍｍ）、及び、ＲＤＦ（平均粒径１ｍｍ）２０質量％を石炭（ブレアソール炭、平均粒径１ｍｍ）８０質量％に添加したもの（以下、ＲＤＦ２０／ブレア８０という）について、図２に示した流動床ガス化装置３１（部分酸化炉（ガス化炉）３２＋脱硫炉３３）を用い、以下の試験条件で流動床ガス化装置３１を運転した。
部分酸化炉３２  酸素含有ガス：空気
石炭、及び、ＲＤＦ２０／ブレア８０の投入量：１５ｋｇ／ｈ
脱硫炉３３      石灰石：平均粒径０．３ｍｍ、
井倉産石灰石、（投入量１ｋｇ／ｈ）
石炭は、ロックホッパ３４からスクリューフィーダ３５で定量切り出して空気により気流搬送し、部分酸化炉３２の炉底から供給した。ＲＤＦ２０／ブレア８０は、ＲＤＦをロックホッパ（固体粒子供給手段）３６からスクリューフィーダ（固体粒子供給手段）３７で定量切り出して空気により気流搬送し、石炭と混合して、部分酸化炉３２の炉底から供給した。空気、水蒸気は分散板を通して供給した。
部分酸化炉３２の上部に設置してある脱硫炉３３に石灰石を供給して脱硫を行った。石灰石は脱硫炉上部のホッパ３８からスクリューフィーダ３９により定量供給した。なお、本試験で使用した流動床ガス化装置３１の脱硫炉３３の温度は、部分酸化炉３２の運転条件の影響を受けており、脱硫炉３３だけ独立して任意の温度条件に設定できない。
部分酸化炉３２内への空気の供給量を調節することにより流動床の温度を変化させ、その温度でのガスの発生量及び組成を測定し、チャー等の粒子性状の分析結果を解析して、ガス化反応速度を求めた。その結果を図３に示す。
【００３８】
試験の結果、石炭単味の場合と比較して、ＲＤＦを混入すると、低温での反応速度が増大し、クリンカ形成が抑制される低温での運用においても十分なガス化反応速度が得られていた。例えば、ＲＤＦ２０／ブレア８０の約９００℃でのガス化速度は、石炭単味の約１０２０℃のガス化速度と同等であった。
この結果から、本発明の方法を用いることにより、石炭のガス化反応温度を低下させることができ、石炭単味の場合と比較して、より低い温度で同じ反応速度を得ることが可能になったことは明らかである。
【図面の簡単な説明】
【００３９】
【図１】本発明に使用可能な流動床ガス化装置の一例を示す概略図である。
【図２】実施例で用いた流動床ガス化装置の概略図である。
【図３】実施例の結果を示す図である。
【図４】触媒としてＫ２ＣＯ３を加えた場合と、Ｋ２ＣＯ３を加えなかった場合とにおける燃焼の度合と時間との関係を示すグラフである。
【符号の説明】
【００４０】
１    流動床ガス化装置
２    ガス化炉
３    脱硫炉
５    脱塵装置
７    酸化炉
８    熱交換器
９    脱塵装置
１１ａ  流動床
１１ｂ  流動床
１１ｃ  流動床
３１    流動床ガス化装置
３２    部分酸化炉（ガス化炉）
３３    脱硫炉
【図１】
0005422098.tif 000002
【図２】
0005422098.tif 000003
【図３】
0005422098.tif 000004
【図４】
0005422098.tif 000005